(57)【要約】【課題】全ての機能を使いたい使用者には、全てのスイッチを操作可能とし、単純な機能しか必要のない使用者には操作可能なスイッチを限定した操作方法を提供すること。【解決手段】多機能を利用したい使用者には多スイッチ操作を提供し、単機能のみを利用したい使用者には、利用できるスイッチの数を減らして、操作可能なスイッチだけを表示させる事で、使用者の好みに合わせた操作方法を提供し、操作方法の切替えを切替えスイッチ８ａを用いて行うことで、１台の加熱調理器を複数の使用者が利用する場合にも、各使用者に合わせた操作方法を提供することとなる。【選択図】図６
2009243771.tif 000002
【特許請求の範囲】
【請求項１】
外郭を構成する本体と、前記本体の上面に設けたトッププレートと、前記トッププレート上に載置された被加熱物を加熱する加熱手段と、前記トッププレートと同一面上に配置されたスイッチと、前記スイッチが検知した変化により所定の操作が行われたと判断する操作検知部と、前記スイッチに配した操作部発光体と前記操作部発光体の制御を行う発光制御部と、操作方法を切替える切替えスイッチと、前記スイッチが検知した変化から所定の操作が行われた事を検知し所定の操作により前記加熱手段の制御を行う操作制御手段とを備え、前記切替えスイッチの操作により前記操作制御手段は前記スイッチの操作方法を切替える加熱調理器。
【請求項２】
スイッチは、トッププレート裏面に形成され所定の遮光性を有する導電性皮膜で構成された電極部を備え、使用者が前記電極部に対向する前記トッププレート上面を触れる事で生じる前記使用者と前記電極部との間の静電容量の変化を検知する静電容量式タッチスイッチである請求項１に記載の加熱調理器。
【請求項３】
トッププレートは、操作部発光体が発光していない時は前記トッププレートの表面からスイッチの配置が見えにくくなるよう着色された事を特徴とする請求項１または２に記載の加熱調理器。
【請求項４】
発光制御部は、スイッチが、使用可能であれば、操作部発光体を発光させ、操作不可能である場合は、操作部発光体を発光させない事を特徴とする請求項１〜３のいずれか１項に記載の加熱調理器。
【請求項５】
発光制御部は、切替えスイッチにより操作方法が切替ったことで操作可能になった静電容量式タッチスイッチ下部の制御部発光体は発光し、操作不可能な前記静電容量式タッチスイッチ下部の前記制御部発光体は発光しない事を特徴とする請求項２〜４のいずれか１項に記載の加熱調理器。
【請求項６】
静電容量式タッチスイッチが複数ある場合には、切替スイッチにより操作方法が切替っても操作可能となる複数の前記静電式タッチスイッチは、隣同士に配置する請求項２〜５のいずれか１項に記載の加熱調理器。
【請求項７】
報知手段を備え、切替スイッチにより操作方法が切替ったことで操作不可になった静電容量式タッチスイッチを操作すると、前記報知手段は、操作不可であることを報知する請求項２〜６のいずれか１項に記載の加熱調理器。
【請求項８】
切替えスイッチは、スイッチと操作方法が異なる請求項１〜７のいずれか１項に記載の加熱調理器。
【請求項９】
切替えスイッチにより切替った操作方法を記憶する不揮発性メモリを備えた請求項１〜８のいずれか１項に記載の加熱調理器。
【発明の詳細な説明】
【技術分野】
【０００１】
本発明は、加熱調理器の操作検知方法に関するものである。
【背景技術】
【０００２】
従来、この種の操作方法としては、例えば、被加熱物が載置されるトッププレート上に操作部を設ける構成とした加熱調理器は知られている（例えば、特許文献１参照）。
【０００３】
これは、図７に示すように、加熱調理器の外郭を構成する本体１０１の上面には、トッププレート１０２が配設されている。本体１０１内のトッププレート１０２の下面には加熱手段１０３が配置されている。また、トッププレート１０２の表面上には、加熱手段１０３が配設されている位置に対応して被加熱物１０４を載置する加熱部１０５が設けられている。さらに、本体１０１の前面部には第１の操作部１０６と、操作に応じて各種状態を表示する第１の表示部１０７を設けている。
【０００４】
トッププレート１０２の表面上には、加熱手段１０３の加熱の入切、火力調節などの使用頻度の高い操作手段としての操作スイッチを有する第２の操作部１０８を設け、加熱調理を行うための条件を入力するようになっている。トッププレート１０２の下方には第２の操作部１０８の入力操作可否状態を示す第２の表示部１０９を設け、第２の操作部１０８が入力操作可能である場合には、発光ＬＥＤにより点灯表示し、無効状態である場合には、消灯もしくは点滅で表示する構成としている。
【特許文献１】特許第３６２０５０２号公報
【発明の開示】
【発明が解決しようとする課題】
【０００５】
しかしながら、前記従来の構成では、トッププレート１０２の表面上に第２の操作部１０８が配置されたことで、調理中に誤って第２の操作部１０８で入力操作を行うことや、第２の操作部１０８の上に調理物などが落下して、入力を受け付けてしまう恐れがある。
【０００６】
この影響で、第２の操作部１０８の誤動作が発生し、複数の調理工程を連続で移行させて調理を行うオート調理が中断してしまうと、再度第１の操作部１０６によって、オート調理を再開してもオート調理性能の低下を引き起こすという課題を有していた。
【０００７】
また、機器の多機能化により第２の操作部１０８の操作スイッチの数が増えると、操作が複雑になり、全ての機能を必要としない使用者にとっては、目的の操作を行うことが難しくなる。これにより、使用者の誤操作が増えるという課題を有していた。
【課題を解決するための手段】
【０００８】
本発明は、上記従来の課題を解決するもので、全ての機能を使いたい使用者には、全てのスイッチを操作可能とし、単純な機能しか必要のない使用者には操作可能なスイッチを限定した操作方法を提供する。また、操作方法を切り替える切替えスイッチを備え、切替えスイッチの操作によって、同じ機器でも操作方法を選択可能にする。
【０００９】
更に、トッププレートにトッププレート下方のスイッチが見えにくくなるような印刷を施し、スイッチの下方を発光させると、発光している時にはトッププレート上にスイッチが浮かび上がり、発光していない時には、トッププレート上にスイッチが見えなくなるような構成にする事で、操作可能なスイッチのみ発光により可視化できるために、必要のないスイッチの操作をする可能性が減り、誤操作を防止する事ができる。
【００１０】
また、単純な機能を操作する場合に操作可能なスイッチを隣同士に配置することで、操作可能なスイッチと操作不可能なスイッチとの区別を明確にする。
【発明の効果】
【００１１】
本発明により、複雑な操作をしてでも多くの機能を使用したい使用者と、単純な機能のみの使用で構わないので、簡単な操作を望む使用者の両方に対して、同一の製品を使用しながら要求を満たす事ができる。また、単純な操作を望む使用者に対しては、不要なスイッチの操作を無効にし、トッププレート上に見えなくする事で、不要なスイッチの操作をする可能性が減り、誤操作を防ぐ事ができる。
【発明を実施するための最良の形態】
【００１２】
第１の発明は、外郭を構成する本体と、前記本体の上面に設けたトッププレートと、前記トッププレート上に載置された被加熱物を加熱する加熱手段と、前記トッププレートと同一面上に配置されたスイッチと、前記スイッチが検知した変化により所定の操作が行われたと判断する操作検知部と、前記スイッチに配した操作部発光体と前記操作部発光体の制御を行う発光制御部と、操作方法を切替える切替えスイッチと、前記スイッチが検知した変化から所定の操作が行われた事を検知し所定の操作により前記加熱手段の制御を行う操作制御手段とを備え、前記切替えスイッチの操作により前記操作制御手段は前記スイッチの操作方法を切替える事で、複雑な操作をしてでも多くの機能を使用したい使用者と、単純な機能のみの使用で構わないので、簡単な操作を望む使用者の両方に対して、同一の製品を使用しながら要求を満たす事ができる。
【００１３】
第２の発明は、特に、第１の発明のスイッチを、トッププレート裏面に形成され所定の遮光性を有する導電性皮膜で構成された電極部を備え、使用者が前記電極部に対向する前記トッププレート上面を触れる事で生じる前記使用者と前記電極部との間の静電容量の変化を検知する静電容量式タッチスイッチであるとすることにより、前記トッププレート上を触れるだけで操作可能な静電容量式タッチスイッチにおいても、複雑な操作をしてでも多くの機能を使用したい使用者と、単純な機能のみの使用で構わないので、簡単な操作を望む使用者の両方に対して、同一の製品を使用しながら要求を満たす事ができる。
【００１４】
第３の発明は、特に、第１または第２の発明において、トッププレートを、操作部発光体が発光していない時は前記トッププレートの表面からスイッチの配置が見えにくくなるよう着色するとすることにより、切替えスイッチにより操作方法を切替えた時に操作不可となったスイッチが前記トッププレート上に見えなくなるので、不必要な前記スイッチの誤操作を減らす事ができる。
【００１５】
第４の発明は、特に、第１〜３の発明において、発光制御部を、スイッチが、使用可能であれば、操作部発光体を発光させ、操作不可能である場合は、操作部発光体を発光させないとすることにより、操作不可となった前記スイッチがトッププレート上に見えなくなるので、不必要な前記スイッチの誤操作を減らす事ができる。
【００１６】
第５の発明は、特に、第２〜４の発明において、発光制御部を、切替えスイッチにより操作方法が切替ったことで操作可能になった静電容量式タッチスイッチ下部の制御部発光体は発光し、操作不可能な前記静電容量式タッチスイッチ下部の前記制御部発光体は発光しないとすることにより、前記切替えスイッチにより操作方法を切替えた時に操作不可となった前記静電式タッチスイッチが前記トッププレート上に見えなくなるので、トッププレート上のスイッチの数が減り、操作を簡単に行う事ができる。
【００１７】
第６の発明は、特に、第２〜５の発明において、静電容量式タッチスイッチが複数ある
場合には、切替スイッチにより操作方法が切替っても操作可能となる複数の前記静電式タッチスイッチを隣同士に配置するとすることにより、トッププレート上に見える前記静電式タッチスイッチの数が減った時に、前記スイッチが狭い範囲に固まるので、操作の際の指の移動が小さくできる。
【００１８】
第７の発明は、特に、第２１〜６の発明において、報知手段を備え、切替スイッチにより操作方法が切替ったことで操作不可になった静電容量式タッチスイッチを操作すると、前記報知手段を、操作不可であることを報知するとすることにより、使用者に誤操作を報知できる。
【００１９】
第８の発明は、特に、第１〜６の発明において、切替えスイッチを、スイッチと操作方法が異なるとすることにより、前記スイッチを操作中に誤って前記切替えスイッチを操作する事を防ぐ。
【００２０】
第９の発明は、特に、第１〜７の発明において、切替えスイッチにより切替った操作方法を記憶する不揮発性メモリを備えたとすることにより、機器の主電源を切った後も操作方法を記憶する事ができ、次に主電源を入れたときに前回切替えた操作方法のままで使用することができる。
【００２１】
以下、本発明の実施の形態について、図面を参照しながら説明する。なお、本実施の形態によって、本発明が限定されるものではない。
【００２２】
（実施の形態１）
本実施の形態を図１、図２、図３、図４、図５、図６を用いて説明する。
【００２３】
図１において、外郭を構成する本体１の上面には、トッププレート２が配設されている。本体１内のトッププレート２の下面にはトッププレート２上方に載置された被加熱物４を加熱する加熱手段３が配置されている。本実施の形態では、この加熱手段３は誘導加熱によって被加熱物４を加熱し、被加熱物４を加熱する誘導加熱コイルや誘導加熱では使えない鍋を用いて加熱するラジエントヒータより構成されている。また、トッププレート２の表面上には、加熱手段３が配設されている位置に対応して被加熱物４を載置する加熱部５が設けられている。
【００２４】
トッププレート２と略同一面には、加熱手段３の加熱開始および停止を入力する静電容量式タッチスイッチを有する天面操作部６が設けられている。天面操作部６の近傍には天面操作部６の操作に応じて各種状態を表示する天面表示部７を設ける。天面操作部６、天面表示部７上のトッププレート２は、黒印刷を施し、トップレプレート２下方の構造物がトッププレート２上に見えにくくなっている。
【００２５】
本体１の前面には、開閉収納式の前面操作部８と、前面操作部８の操作に応じて各種状態を表示する前面表示部９を設けている。
【００２６】
加熱手段３は、加熱手段３の下方に配置され、天面操作部６、前面操作部８より操作信号を受け取る加熱制御部１０により制御される。
【００２７】
図２には、天面操作部６および天面表示部７の詳細を示す。天面操作部６には、取り消しスイッチ６ａ、タイマースイッチ６ｂ、揚物切／入スイッチ６ｃ、火力ダウンスイッチ６ｄ、火力アップスイッチ６ｅ、加熱切／入スイッチ６ｆ、ロック解除スイッチ６ｇが配置されている。天面表示部７には、加熱手段３の状態を示すピクトが配置される。
【００２８】
図３には、前面操作部８および前面表示部９の詳細を示す。前面操作部８には、タクトスイッチで構成された切替えスイッチ８ａが配置されている。
【００２９】
図４に静電式タッチスイッチの構造を示す。静電式タッチスイッチは、使用者が指１１でトッププレート２上のスイッチ範囲１２に触れると、触れたことを検知する事を目的に構成される。トッププレート２上面のスイッチ範囲１２に対向するトッププレート２裏面に導電性を持つ電極部１３があり、電極部１３と検知を行うスイッチ検知部１４は、金属端子１５を介して接続される。電極部１３の下方には、発光部１６が配置され、発光制御部１７により点灯、消灯の制御が行われる。スイッチ検知部１４には、不揮発性メモリ１８との間で通信を行う。さらに、スイッチ検知部１４は、報知手段であるブザー１９に報知信号を送り、ブザー報知を行う。
【００３０】
使用者が調理器を操作するために指１１でスイッチ範囲１２に触れると、アース、指１１、トッププレート２、電極部１３でコンデンサを形成する。スイッチ検知部１３は、高周波電圧を発生させ、電極部１３に送っており、指１１でスイッチ範囲１２に触れた時の高周波電圧が電極部１３、トッププレート２、指１１を通じてバイパスし、電極部１３に現れる電圧が低下する事を検知して、検知電圧が閾値以下になると、スイッチ範囲１２のスイッチ操作を有効にし、加熱部に加熱などの動作を指示する。
【００３１】
発光制御部１７は、スイッチ検知部１４から信号を受け、静電容量式タッチスイッチのスイッチ操作によりモードが変わった場合に、使用可能な静電容量式タッチスイッチの下方に配置された発光部１６のみを発光させ、トッププレート２上にスイッチ範囲１２を浮かび上がらせる。
【００３２】
スイッチ検知部１４の信号を受け、加熱制御部１０は、加熱手段３を制御する。
【００３３】
次に図５で天面操作部６、天面表示部７の動作を説明する。
【００３４】
加熱調理器は、主電源を入れるとロック解除スイッチ６ｇのみが操作可能となり、発光制御部１７は、図５（Ａ）に示すように、ロック解除スイッチ６ｇの下方に配置された発光部１６のみを発光させて、ロック解除スイッチ６ｇのスイッチ範囲１２をトッププレート２上に浮かび上がらせ、同時にロック状態を表すために天面表示部７の「ロック」ピクトを表示する。
【００３５】
使用者がロック解除スイッチ６ｇに触れた事をスイッチ検知部１４が検知すると、発光制御部１７にモードが変更されたことを送信し、発光制御部１７は図５（Ｂ）に示すようにロック解除スイッチ６ｇの下方に配置された発光部１６の発光を消灯させ、変わりに使用可能となった加熱切／入スイッチ６ｆ、揚物切／入スイッチ６ｃの下方に配置された発光部１６を発光させて、トッププレート２上にそれぞれのスイッチ範囲１２を浮かび上がらせる。また、ロック状態が解除されたために天面表示部７の「ロック」ピクトを消灯する。
【００３６】
使用者は加熱を始めるために加熱切／入スイッチ６ｆに触れると、図５（Ｃ）に示すように、揚物切／入スイッチ６ｃの下方に配置された発光部１６は消灯し、次に操作可能となった火力アップスイッチ６ｅ、火力ダウンスイッチ６ｄ、タイマスイッチ６ｂ、図５（Ｂ）の状態から引き続き操作可能な加熱切／入スイッチ６ｆの下方に配置された発光部１６が発光して、各スイッチがトッププレート上に浮かび上がる。この時、スイッチ検知部１４は、加熱制御部１０に加熱が開始された事を送信し、加熱制御部１０に制御される加熱手段３が加熱を開始する。図５（Ｃ）の状態では、火力の上げ下げ、タイマ設定が可能であり、該当の静電容量式タッチスイッチのスイッチ範囲を１２を触れる事で、火力やタ
イマ設定時間を変更する。変更のたびに火力や残りタイマ時間が天面表示部７に表示される。
【００３７】
図５（Ｃ）の状態中にタイマスイッチ６ｂのスイッチ範囲１２に触れると図５（Ｄ）に示すように、「残り」ピクトと設定したタイマ設定時間が表示される。
【００３８】
以上の通常の操作とは別に本実施の形態の加熱調理器は、切替えスイッチ８ａの操作により異なる操作方法を備える。
【００３９】
異なる操作方法を図６に示す。
【００４０】
切替えスイッチ８ａの操作により操作方法を変更すると図６（Ａ）に示すように、操作方法が変わったことを示すために「Ｓモード」ピクトを天面表示部７に表示する。
【００４１】
「Ｓモード」ピクト表示中は、加熱調理器の持つ機能を制限して、トップレプレート２上に表示されるスイッチの数を減らす。
【００４２】
図６（Ａ）に示すロック状態の時にロック解除スイッチ６ｇの下方に配置されたスイッチ範囲１２に触れると図６（Ｂ）に示すように、加熱切／入スイッチ６ｆの下方に配置されたスイッチ範囲１２のみが発光して、トッププレート２上には、加熱切／入スイッチ６ｆのみが浮かび上がる。更に、図６（Ｂ）の状態から加熱切／入スイッチ６ｆに触れると、図６（Ｃ）に示すように、火力アップスイッチ６ｅ、火力ダウンスイッチ６ｄ、加熱切／入スイッチ６ｆが浮かび上がる。
【００４３】
この時、図５に示す通常の操作方法では、火力の上げ下げ、タイマ設定が可能であったのに対して、図６に示す「Ｓモード」ピクト表示中は、タイマ設定が不可となり、加熱調理器の機能が制限されるが、トッププレート上の表示は少なくなるために、使用者はどのスイッチを押せばいいかがわかりやすい。この状態で主電源を切ると、スイッチ検知部１４は不揮発性メモリ１８に加熱調理器が「Ｓモード」であることを記録する。次に加熱調理器の主電源を入れると、スイッチ検知部１４は、不揮発性メモリ１８から主電源を切る前の加熱調理器の状態を読み込み、図６（Ａ）のように「Ｓモード」ピクトを天面表示部７に表示する。
【００４４】
また、使用者が使用不可能なスイッチ範囲１２に触れた場合には、スイッチ検知部１４がブザー１９へ報知信号を送り、ブザー報知を行って操作が無効であることを使用者に知らせる。
【００４５】
このように同一の機器であっても、使用者の好みに合わせて操作方法を変更する事で、複雑な操作に耐えられる使用者については、多くの機能を利用でき、複雑な操作ができない使用者については、簡単な操作方法を提供することで、誤操作を防止できる。
【００４６】
また、簡単な操作方法により操作性が向上し、取り扱い説明書を読まなくても所望の操作をスムーズに行う事ができる。
【００４７】
以上の実施の形態では、天面操作部６に静電式タッチスイッチを用いたが、抵抗式、赤外線式タッチスイッチにおいても同様である。
【００４８】
前面操作部８に切り替えスイッチ８ａを配置したが、切り替えスイッチ８ａは、前面操作部８に限らず、天面操作部６に配置しても同様である。切り替えスイッチ８ａは、タクトスイッチを用いたが、タッチスイッチ、スライドスイッチ、レバースイッチ等のスイッ
チを用いた場合も同様であり、本実施の形態を限定するものではない。
【産業上の利用可能性】
【００４９】
本発明の加熱調理器は、加熱調理器以外の電子機器に利用できる。特に、携帯電話など多機能で多スイッチを有する機器では、複雑な操作が苦手な使用者でも単純な操作方法で機器を使用できるという効果がある。
【図面の簡単な説明】
【００５０】
【図１】本発明の実施の形態１における加熱調理器の構造図
【図２】本発明の実施の形態１における天面操作表示図
【図３】本発明の実施の形態１における前面操作表示図
【図４】本発明の実施の形態１における静電式タッチスイッチブロック図
【図５】本発明の実施の形態１における表示例を示す図
【図６】本発明の実施の形態１における表示例を示す図
【図７】従来例の構造図
【符号の説明】
【００５１】
１  本体
２  トッププレート
３  加熱手段
６  天面操作部（スイッチ）
７  天面表示部
８  前面操作部
８ａ  切替えスイッチ
９  前面表示部
１０  加熱制御部（操作制御手段）
１３  電極部
１４  スイッチ検知部（操作検知部）
１６  発光部（操作部発光体）
１７  発光制御部
【図１】
2009243771.tif 000003
【図２】
2009243771.tif 000004
【図３】
2009243771.tif 000005
【図４】
2009243771.tif 000006
【図５】
2009243771.tif 000007
【図６】
2009243771.tif 000008
【図７】
2009243771.tif 000009